(57)【要約】      （修正有）【課題】椅子の座面にマットを取付けるにあたって、外れ難くすることができる椅子用マットを提供する。【解決手段】基布３１にパイル繊維３２を植設して成るマット層３に、裏面層４を裏打ちし、その裏面層４を、マット層３に塗布されるアクリル樹脂層から形成し、かつ裏面４１に均一に形成される薄膜の平坦部４２と、平坦部４２から、相互に所定間隔Ｌを開けて畝状に隆起して形成される隆起部４３とを備えて構成する。したがって、粘着性を有するアクリル樹脂層によって、椅子の座面や背凭れの基端部に紐を掛けたりするようなことはなく、置くだけで、吸着している椅子用マット１を実現することができる。また、裏面層４に、周期的に畝状に隆起した隆起部４３を設けることで、全面が平坦である場合に比べて、横滑り（ズレ）を抑えることができる。【選択図】図２
0003201889.tif 000002
【実用新案登録請求の範囲】
【請求項１】
椅子の座面に取付けられるマットであって、
マットとしての機能性を有する材料から成るマット層と、
前記マット層に裏打ちされる裏面層とを含み、
前記裏面層は、前記マット層に塗布されるアクリル樹脂層から成り、
前記裏面層は、前記マット層の裏面に均一に形成される薄膜の平坦部と、前記平坦部から、相互に所定間隔を開けて畝状に隆起して形成される隆起部とを有することを特徴とする椅子用マット。
【請求項２】
外周縁部にオーバーロック加工が施され、裏面側に僅かに巻き込まれていることを特徴とする請求項１記載の椅子用マット。
【請求項３】
円盤状に形成されることを特徴とする請求項１または２記載の椅子用マット。
【請求項４】
前記マット層は、パイル織物であることを特徴とする請求項１〜３の何れか１項に記載の椅子用マット。
【請求項５】
隆起部は、略幅３ｍｍ、間隔１１ｍｍに形成されることを特徴とする請求項１〜４の何れか１項に記載の椅子用マット。
【考案の詳細な説明】
【技術分野】
【０００１】
本考案は、椅子の座面に取付けられて使用される椅子用マットに関する。
【背景技術】
【０００２】
従来から、椅子の座面に、座布団やクッションを取付けることが行われている。それによって、座り心地の改善を始め、季節によって雰囲気を変えたり、或いは古くなった椅子の再生などの効果を得ることができる。そのような場合、従来では、特に座布団カバーに広く用いられる手法では、座板や背凭れの基端部に紐で括り付けて固定が行われている。
【０００３】
そこで、手軽に着脱できるように、前記座布団カバーの例の特許文献１では、裏面を吸着シートとして、置くだけで、座面からズレないようにしている。
【先行技術文献】
【特許文献】
【０００４】
【特許文献１】特開２０１１−１２５４１２号公報
【考案の概要】
【考案が解決しようとする課題】
【０００５】
特許文献１は、座布団カバーで、椅子の座面には、座布団が敷かれることになる。元々、座布団は厚みがあり、中綿や、それを覆う布地の重量も比較的大きく、置くだけで、座ったり立ったりしても、ズレは少ない。しかしながら、そこにパイル生地などのマットを用いようとすると、座布団より軽く、また座面への馴染みも小さく、座ったり立ったりすると、ズレ易い。つまり、マットの場合、板のように座面から簡単にズレてしまう。
【０００６】
本考案の目的は、椅子の座面にマットを取付けるにあたって、ズレ難くすることができる椅子用マットを提供することである。
【課題を解決するための手段】
【０００７】
本考案の椅子用マットは、椅子の座面に取付けられるマットであって、マットとしての機能性を有する材料から成るマット層と、前記マット層に裏打ちされる裏面層とを含み、前記裏面層は、前記マット層に塗布されるアクリル樹脂層から成り、前記裏面層は、前記マット層の裏面に均一に形成される薄膜の平坦部と、前記平坦部から、相互に所定間隔を開けて畝状に隆起して形成される隆起部とを有することを特徴とする。
【０００８】
上記の構成によれば、通常の床面用のマットの裏面は、基布や不織布とパイル繊維とが接着剤で固められて、硬くなっているのに対して、本考案の椅子取付けマットでは、マット層に裏打ちされる裏面層を、前記マット層に塗布されるアクリル樹脂層から形成し、かつ裏面に均一に形成される薄膜の平坦部と、前記平坦部から、相互に所定間隔を開けて畝状に隆起して形成される隆起部とを備えて構成する。
【０００９】
したがって、粘着性を有するアクリル樹脂層によって、椅子の座面や背凭れの基端部に紐を掛けたりするようなことはなく、置くだけで、吸着している椅子用マットを実現することができる。また、裏面層に、周期的に畝状に隆起した隆起部を設けることで、全面が平坦である場合に比べて、横滑り（ズレ）を抑えることができる。
【００１０】
また、本考案の椅子用マットは、外周縁部にオーバーロック加工が施され、裏面側に僅かに巻き込まれていることを特徴とする。
【００１１】
上記の構成によれば、オーバーロック加工によって、解れ止めが行われるとともに、裏面側に僅かに巻き込まれていることで、捲れ上がりを予防することができ、使用者が座る際の使用者への引っ掛かりを少なくし、より横滑り（ズレ）し難くすることができる。
【００１２】
さらにまた、本考案の椅子用マットは、円盤状に形成されることを特徴とする。
【００１３】
上記の構成によれば、隅角部が無いので、弱い粘着でも、より横滑り（ズレ）し難くすることができる。
【００１４】
また、本考案の椅子用マットでは、前記マット層は、パイル織物であることを特徴とする。
【００１５】
上記の構成によれば、本考案の椅子用マットは、裏面に滑り止めが施されているので、マット層としては布地よりも引っ掛かり易いパイル織物を使用しても、横滑り（ズレ）し難くい。そのため、椅子用マットとしての質感や使用感を向上することができる。
【００１６】
さらにまた、本考案の椅子用マットでは、隆起部は、略幅３ｍｍ、間隔１１ｍｍに形成されることを特徴とする。
【００１７】
上記の構成によれば、裏面層の材料としてのアクリル樹脂を少なくしてコストを抑えながら、或る程度の粘着力を得ることができる。
【考案の効果】
【００１８】
本考案の椅子用マットは、以上のように、椅子の座面に取付けられるマットであって、マット層に裏打ちされる裏面層を、前記マット層に塗布されるアクリル樹脂層から形成し、かつ裏面に均一に形成される薄膜の平坦部と、前記平坦部から、相互に所定間隔を開けて畝状に隆起して形成される隆起部とを備えて構成する。
【００１９】
それゆえ、粘着性を有するアクリル樹脂層によって、椅子の座面や背凭れの基端部に紐を掛けたりするようなことはなく、置くだけで、吸着している椅子用マットを実現することができる。また、裏面層に、周期的に畝状に隆起した隆起部を設けることで、全面が平坦である場合に比べて、横滑り（ズレ）を抑えることができる。
【図面の簡単な説明】
【００２０】
【図１】本考案の実施の一形態に係る椅子用マットの使用状態を示す斜視図である。
【図２】前記椅子用マットの厚み方向の断面図である。
【図３】前記椅子用マットの製造工程を模式的に示す斜視図である。
【考案を実施するための形態】
【００２１】
図１は、本考案の実施の一形態に係る椅子用マット（以下、マットと言う）１の使用状態を示す斜視図である。このマット１は、椅子２の座面２１に取付けて使用される。これによって、座り心地の改善を図ることができ、特に座面２１が、木材、硬質のプラスチック或いは金属などのままの場合に好適である。また、このマット１を用いることで、季節によって雰囲気を変えたり、古くなった椅子２の再生などを行うことができる。
【００２２】
図２は、マット１の厚み方向の断面図である。ここで、通常の床面用のマットの裏面は、基布３１や不織布と、パイル繊維３２とが接着剤で固められて、硬くなっている。これに対して、本実施形態のマット１は、前記基布３１からパイル繊維３２が植設されて成るマットとしての機能性を有する材料から成るマット層３には、裏面層４が裏打ちされている。さらに、注目すべきは、その裏面層４が、マット層３に塗布されるアクリル樹脂層から成り、該マット層３の裏面４１に均一に形成される薄膜の平坦部４２と、平坦部４２から、相互に所定間隔Ｌを開けて畝状に隆起して形成される隆起部４３とを有することである。
【００２３】
図３は、マット１における裏面層４の製造工程を模式的に示す斜視図である。この工程は、マット層３が、所定形状に裁断され、後述のオーバーロック加工が施された後に行われる。裏返されたマット層３は、図示しない搬送手段によって、矢符Ｆ方向に、一定速度で搬送される。その搬送方向Ｆの上流側にはディスペンサー６が配置され、図３において参照符号４５で示すように、所定の粘度（温度）に溶解された前記アクリル樹脂が、定量、すなわち隆起部４３の高さＨ１と平坦部４２の厚さＨ２とを合わせた厚さＨ３より厚くなるように塗布される。ディスペンサー６よりも搬送方向Ｆの下流側には、スキジー７が配置される。このスキジー７の先端部には、前記平坦部４２に対応する平面７１および前記隆起部４３を形成する畝の形状に対応した切欠き７２が形成されている。スキジー７を通過した裏面層４は、放冷によって固化する。
【００２４】
このように本実施形態の椅子取付けマット１では、マット層３に裏打ちされる裏面層４を、粘着性を有するアクリル樹脂を該マット層３に塗布して形成するので、椅子２の座面２１や背凭れ２２の基端部に紐を掛けたりするようなことはなく、置くだけで、吸着している椅子用マット１を実現することができる。また、裏面層４を、裏面４１に均一に形成される薄膜の平坦部４２と、平坦部４２から、相互に所定間隔Ｌを開けて畝状に隆起して形成される隆起部４３とを備えて構成するので、周期的に畝状に隆起した隆起部４３によって、全面が平坦である場合に比べて、横滑り（ズレ）を抑えることができる。
【００２５】
その隆起部４３は、幅Ｗが略３ｍｍ、間隔Ｌが略１１ｍｍに形成されることが好ましい。これは、裏面層４の材料としてのアクリル樹脂を少なくしてコストを抑えながら、或る程度の粘着力を得ることができるためである。
【００２６】
また、本実施形態のマット１は、外周縁部１４にオーバーロック加工１５が施され、解れ止めが行われるとともに、図２において参照符号Ｒで示すように、その外周縁部１４が裏面４１側に僅かに巻き込まれている（図２の例では、オーバーロック加工１５の周方向に延びるステッチで、内側が１段上がり、結果として、周縁部が内側に巻き込んでいる）ので、捲れ上がりを予防することができ、使用者が座る際の使用者への引っ掛かりを少なくし、より横滑り（ズレ）し難くすることができる。さらにまた、本実施形態のマット１は、図１で示すように、円盤状に形成され、隅角部が無いので、弱い粘着でも、より横滑り（ズレ）し難くすることができる。
【００２７】
こうして、本実施形態のマット１は、横滑り（ズレ）し難くなっており、マット層３としては、布地よりも引っ掛かり易いパイル織物を使用しても、横滑り（ズレ）し難くい。そのため、椅子用マット１としての質感や使用感を向上することができ、好適である。しかし、勿論、マット層３としては、パイル織物に限らず、表面が任意の布地で、内部にクッション性を有する材料が充填されているような構成であってもよい。なお、裏面４１には、新品時に、裏面層４の劣化を抑えるための保護フィルムなどが貼付けられていてもよい。
【符号の説明】
【００２８】
１    椅子用マット
１４    外周縁部
１５    オーバーロック加工
２    椅子
２１    座面
２２    背凭れ
３    マット層
３１    基布
３２    パイル繊維
４    裏面層
４１    裏面
４２    平坦部
４３    隆起部
６    ディスペンサー
７    スキジー
【図１】
0003201889.tif 000003
【図２】
0003201889.tif 000004
【図３】
0003201889.tif 000005